(57)【要約】      （修正有）【課題】散光板の周縁部に発生するすじ状の影を無くするかご照明装置を提供する。【解決手段】エレベータのかご内における光源９ａ〜９ｃが取付けられた天井４を不透光性材料で形成された照明ケース１０で覆い、この照明ケースの下面に形成された開口部１１を透光性材料で形成された散光板１２で蓋し、光源から出力され散光板で散光された光でかご１内を照明するエレベータのかご照明装置５ａにおいて、開口部１１を蓋する散光板１２の周縁部の上面に設けられ、透光性材料で形成された押さえ部材１８と、この押さえ部材を介して散光板の周縁部を照明ケースの開口部１１の周縁に固定する複数の固定具１６，１４とを備えている。【選択図】図１
2008024410.tif 000002
【特許請求の範囲】
【請求項１】
エレベータのかご内における光源が取付けられた天井を不透光性材料で形成された照明ケースで覆い、この照明ケースの下面に形成された開口部を透光性材料で形成された散光板で蓋し、前記光源から出力され前記散光板で散光された光で前記かご内を照明するエレベータのかご照明装置において、
前記開口部を蓋する散光板の周縁部の上面に設けられ、透光性材料で形成された押さえ部材と、
この押さえ部材を介して前記散光板の周縁部を前記照明ケースの開口部の周縁に固定する複数の固定具と
を備えたことを特徴とするエレベータのかご照明装置。
【請求項２】
前記散光板及び前記押さえ部材はアクリル樹脂で形成されていることを特徴とする請求項１記載のエレベータのかご照明装置。
【請求項３】
前記押さえ部材は透明アクリル樹脂又は透明ガラスで形成されていることを特徴とする請求項１記載のエレベータのかご照明装置。
【請求項４】
前記押さえ部材は前記散光板に対して線接触する断面形状を有することを特徴とする請求項１から３のいずれか１項記載のエレベータのかご照明装置。
【発明の詳細な説明】
【技術分野】
【０００１】
本発明は、エレベータにおける利用者を載せて各階間を上下移動するかごの内部を照明するエレベータのかご照明装置に関する。
【背景技術】
【０００２】
図４は、各種のビル、マンション、ホテル等の建屋に組込まれたエレベータおけるかごの内部を示す部分斜視図である。ほぼ箱形状に形成されたかご１内において、床２の左右に側壁３ａ、３ｂがあり、天井４には、このかご１内を間接照明するかご照明装置５が取付けられている。また、ドア６の左右には行先指定ボタン７及び表示器８が取付けられている。
【０００３】
図５は、図４のかご１におけるＡ―Ａ’線で切断して、斜め上方から見た場合における、天井４に取付けられたかご照明装置５の内部構成を示す断面斜視図である。天井４には、光源としての３本の蛍光灯９ａ、９ｂ、９ｃが取付けられている。そして、この３本の蛍光灯９ａ、９ｂ、９ｃを覆う箱形形状を有した例えば金属や木材等の不透光性材料で形成された照明ケース１０の上端開口が天井４に固定されている。
【０００４】
この照明ケース１０の下面中央に矩形の開口部１１が形成されており、この開口部１１に透光性材料であるアクリル樹脂で形成された散光板１２が取付けられている。この散光板１２は、図６に示すように、上側の乳白色アクリル板１２ａと下側の透明アクリル板１２ｂを貼合わせたものであり、上側の乳白色アクリル板１２ａと下側の透明アクリル板１２ｂとの間に段部１３が形成されている。この段部１３が照明ケース１０の開口部１１に係止される。
【０００５】
図５、図７に示すように、照明ケース１０の開口部１１に沿ってＬ字形断面を有する金属製の支持部材１４が例えば接着剤で照明ケース１０の上面に貼付けられている。一方、散光板１２上面の外周縁に沿って同じくＬ字形断面を有する金属製の押さえ部材１５が設けられており、この押さえ部材１５は散光板１２の周縁に沿った複数箇所でボルト・ナット１６で支持部材１４に固定されている。したがって、ボルト・ナット１６及び支持部材１４は、押さえ部材１５を介して散光板１２の周縁部を照明ケース１０の開口部１１の周縁に固定する固定具を構成する。
【０００６】
このような構成のかご照明装置５においては、天井４に取付けられた蛍光灯９ａ、９ｂ、９ｃの光は乳白色アクリル板１２ａと透明アクリル板１２ｂとを貼合わせた散光板１２で散光されて柔らかい光の間接光に変換されてかご１内を照明する。また、押さえ部材１５を介して散光板１２を散光板１２の周縁部を照明ケース１０の開口部１１の周縁に固定しているので、たとえ、かご１が上下移動するときに振動したとしても、散光板１２が照明ケース１０の開口部１１からずれることが未然に防止される。
【０００７】
なお、特許文献１には、エレベータのかご内に閉じ込められた利用客をかごの天井から救出するための救出口に形成された天井照明装置の構成が開示されている。
【特許文献１】特開平８−２９５４７７号公報
【発明の開示】
【発明が解決しようとする課題】
【０００８】
しかし、上述した図５〜図７に示すエレベータのかご照明装置においてもまだ改良すべき次のような課題があった。
【０００９】
すなわち、乳白色等の透光性材料で形成された散光板１２の周縁部の上面を不透光性材料である金属で形成された押さえ部材１５で覆っている。この押さえ部材１５は光を全く透過しないので、図７に示すように、散光板１２の周縁部に一部の蛍光灯９ａ、９ｃからの光が到達しなくて、中央部に比較して暗いすじ状の影１７ａ、１７ｂが発生する。
【００１０】
この散光板１２の周縁部に生じるすじ状の影１７ａ、１７ｂは、このエレベータのかご１に乗り込んだ利用客にとって見苦しい存在であり、エレベータ全体の商品価値を低下させる要因となっている。特に、デパート等の商業ビルやホテル等の接客機能が重視されるエレベータにおいては、上記すじ状の影１７ａ、１７ｂは無視できない。
【００１１】
本発明はこのような事情に鑑みてなされたものであり、振動に起因して散光板が照明ケースの開口部からずれることはなく、かつ散光板の周縁部にすじ状の影が生じることが防止できるエレベータのかご照明装置を提供することを目的とする。
【課題を解決するための手段】
【００１２】
上記課題を解決するために、本発明は、エレベータのかご内における光源が取付けられた天井を不透光性材料で形成された照明ケースで覆い、この照明ケースの下面に形成された開口部を透光性材料で形成された散光板で蓋し、光源から出力され散光板で散光された光でかご内を照明するエレベータのかご照明装置において、開口部を蓋する散光板の周縁部の上面に設けられ、透光性材料で形成された押さえ部材と、この押さえ部材を介して散光板の周縁部を照明ケースの開口部の周縁に固定する複数の固定具とを備えている。
【００１３】
このように構成されたエレベータのかご照明装置においては、散光板の周縁部の上面に設けられた押さえ部材は透光性材料で形成されているので、光源から出力された光が押さえ部材で遮光されて押さえ部材の下側に位置する散光板の周縁部に達せずに、この散光板の周縁部に影が生じることが防止される。その結果、利用者かご内から天井のかご照明装置を見上げた場合の見栄えが向上する。
【００１４】
また、別の発明は、上述した発明のエレベータのかご照明装置において、散光板及び押さえ部材はアクリル樹脂で形成している。
【００１５】
さらに、別の発明においては、押さえ部材は透明アクリル樹脂又は透明ガラスで形成している。
【００１６】
また、別の発明においては、押さえ部材は、散光板に対して線接触する断面形状を有する。このように、押さえ部材の断面形状を散光板に対して線接触する形状とすることにより、押さえ部材の散光板に対する接触面が少なくなり、散光板における周縁部の光の照射量と中央部の光の照射量との差を少なくできる。
【発明の効果】
【００１７】
本発明においては、エレベータのかごの移動時の振動に起因して散光板が照明ケースの開口部からずれることはなく、かつ散光板の周縁部にすじ状の影が生じることを防止でき、利用者がかご内から天井のかご照明装置を見上げた場合の見栄えが向上する。
【発明を実施するための最良の形態】
【００１８】
以下、本発明の一実施形態を図面を用いて説明する。
【００１９】
図１は、本発明の一実施形態に係わるエレベータのかご照明装置の内部構成を示す断面斜視図である。図５に示す従来のかご照明装置５と同一部分には同一符号を付して、重複する部分の詳細説明を省略する。なお、この実施形態のかご照明装置５ａが天井４に取付けられたかご全体の構成は図４の従来のかご１の構成とほぼ同一であるので、説明を省略する。
【００２０】
図１の実施形態のかご照明装置５ａにおいて、かご１内の天井４には光源としての３本の蛍光灯９ａ、９ｂ、９ｃが取付けられている。そして、この３本の蛍光灯９ａ、９ｂ、９ｃを覆う箱形形状を有した例えば金属や木材等の不透光性材料で形成された照明ケース１０の上端開口が天井４に固定されている。
【００２１】
この照明ケース１０の下面中央に矩形の開口部１１が形成されており、この開口部１１に透光性材料であるアクリル樹脂で形成された散光板１２が取付けられている。この散光板１２は、図６に示すように、上側の乳白色アクリル板１２ａと下側の透明アクリル板１２ｂを貼合わせたものであり、上側の乳白色アクリル板１２ａと下側の透明アクリル板１２ｂとの間に段部１３が形成されている。この段部１３が照明ケース１０の開口部１１に係止される。
【００２２】
図１、図２に示すように、照明ケース１０の開口部１１に沿ってＬ字形断面を有する金属製の支持部材１４が例えば接着剤で照明ケース１０の上面に貼付けられている。一方、散光板１２上面の外周縁に沿って矩形断面を有する例えば透明のアクリル樹脂製の押さえ部材１８が設けられており、この押さえ部材１８は散光板１２の周縁に沿った複数箇所でボルト・ナット１６で支持部材１４に固定されている。したがって、ボルト・ナット１６及び支持部材１４は、透明のアクリル樹脂製の押さえ部材１８を介して散光板１２の周縁部を照明ケース１０の開口部１１の周縁に固定する固定具を構成する。
【００２３】
このような構成のかご照明装置５ａにおいては、天井４に取付けられた蛍光灯９ａ、９ｂ、９ｃの光は乳白色アクリル板１２ａと透明アクリル板１２ｂとを貼合わせた散光板１２で散光されて柔らかい光の間接光に変換されてかご１内を照明する。また、押さえ部材１８を介して散光板１２の周縁部を照明ケース１０の開口部１１の周縁に固定しているので、たとえ、かご１が上下移動するときに振動が生じたとしても、散光板１２が照明ケース１０の開口部１１からずれることが未然に防止される。
【００２４】
この場合、散光板１２の周縁部の上面を覆う押さえ部材１８は、光を透過させる透明のアクリル樹脂で形成しているので、この押さえ部材１８にて、蛍光灯９ａ、９ｂ、９ｃの光が遮光されることはない。したがって、散光板１２の周縁部にも各蛍光灯９ａ、９ｂ、９ｃからの光が到達するので、散光板１２の周縁部において、中央部に比較して暗いすじ状の影が発生することが防止される。
【００２５】
また、たとえ、影が残っていたとしても、段部１３に起因するものであり、ごく僅かであり、見かけ上、問題とならない。同様に、金属製のボルト・ナット１６に起因する影も生じることもあるが、散光板１２の周縁部における分散された点に過ぎないので、特に問題となることはない。
【００２６】
したがって、この実施形態のかご照明装置５ａが天井４に取付けられたかご１に乗込んだ利用客に対して、好印象を与えることができ、エレベータ自体の付加価値を上昇できる。
【００２７】
なお、本発明は上述した実施形態装置に限定されるものではない。実施形態装置においては、散光板１２の周縁部の上面を覆う押さえ部材１８は矩形形状断面を有するが、図３（ａ）に示すように、散光板１２の周縁部に接する部分が一つの頂点となる５角形断面形状１９を有する押さえ部材１８ａであってもよい。さらに、図３（ｂ）に示すように、矩形の下側の辺を内側へ折り返し、下端に２つの頂点が形成された、変形５角形断面形状２０を有する押さえ部材１８ｂであってもよい。
【００２８】
このように、押さえ部材１８ａ、１８ｂの断面形状を散光板に対して線接触する形状とすることにより、押さえ部材１８ａ、１８ｂの散光板１２に対する接触面が少なくなり、散光板１２における周縁部の光の照射量と中央部の光の照射量との差を少なくできる。したがって、利用客に対して、より一層の好印象を与えることができる。
【００２９】
さらに、押さえ部材１８、１８ａ、１８ｂを例えば透明ガラスで形成することも可能である。
【図面の簡単な説明】
【００３０】
【図１】本発明の一実施形態に係わるエレベータのかご照明装置の内部構成を示す断面斜視図
【図２】同実施形態のエレベータのかご照明装置の要部の構成を示す断面模式図
【図３】同実施形態のエレベータのかご照明装置の変形例の押さえ部材を示す図
【図４】エレベータおけるかごの内部を示す部分斜視図
【図５】従来のエレベータのかご照明装置の要部の構成を示す断面斜視図
【図６】同エレベータのかご照明装置の散光板を示す斜視図
【図７】同従来のエレベータのかご照明装置の問題点を説明するための図
【符号の説明】
【００３１】
１…かご、２…床、３ａ，３ｂ…側壁、４…天井、５，５ａ…かご照明装置、６…ドア、９ａ，９ｂ，９ｃ…蛍光灯、１０…照明ケース、１１…開口部、１２…散光板、１３…段部、１４…支持部材、１５，１８，１８ａ，１８ｂ…押さえ部材、１６…ボルト・ナット、１７ａ，１７ｂ…影
【図１】
2008024410.tif 000003
【図２】
2008024410.tif 000004
【図３】
2008024410.tif 000005
【図４】
2008024410.tif 000006
【図５】
2008024410.tif 000007
【図６】
2008024410.tif 000008
【図７】
2008024410.tif 000009